(57)【特許請求の範囲】
【請求項１】
患者の穿刺傷部を圧迫する止血バンドであって、
長手方向に伸縮する伸縮部と、
前記伸縮部の前記穿刺傷部とは反対の側の面に設けられた緩衝部と、を備え、
前記伸縮部に、該伸縮部の端部が折り返された折り返し部が形成され、該折り返し部によって、前記緩衝部が覆われている止血バンド。
【請求項２】
請求項１記載の止血バンドにおいて、
前記伸縮部を挟んで前記緩衝部とは反対の側の面に、前記穿刺傷部に当てられた止血綿に接触する摩擦部を更に備えた止血バンド。
【請求項３】
請求項２記載の止血バンドにおいて、
前記緩衝部が、ＥＰＤＭの発泡体である止血バンド。
【請求項４】
請求項３記載の止血バンドにおいて、
前記摩擦部が、血液汚れに対する防汚性を有する止血バンド。
【請求項５】
請求項４記載の止血バンドにおいて、
前記伸縮部に面ファスナーが設けられ、該面ファスナーによって、該止血バンドが前記患者に巻き付けられる止血バンド。
【発明の詳細な説明】
【技術分野】
【０００１】
本発明は、止血バンドに関する。
【背景技術】
【０００２】
特許文献１には、注射、採血等の際の注射針等による穿刺傷の止血に用いる穿刺傷用止血帯が開示されている。この穿刺傷用止血帯は、穿刺傷部を圧迫止血するための止血帯であって、帯材上の一部に加圧パッドが凸設されてなり、該帯材および加圧パッドは柔軟性を有し、該加圧パッドは内部に流体が封入されてなる。
【先行技術文献】
【特許文献】
【０００３】
【特許文献１】特開平１１−２４４２９３号公報
【発明の概要】
【発明が解決しようとする課題】
【０００４】
一般に、止血バンドによる圧迫力が強すぎると、血管が閉塞する場合がある。一方で圧迫力が弱すぎると、止血に時間を要してしまう。従って、止血するためには、適度な力で穿刺傷部を圧迫する必要がある。
本発明は、適度な力で穿刺傷部を圧迫できる止血バンドを提供することを目的とする。
【課題を解決するための手段】
【０００５】
前記目的に沿う本発明に係る止血バンドは、患者の穿刺傷部を圧迫する止血バンドであって、長手方向に伸縮する伸縮部と、前記伸縮部の前記穿刺傷部とは反対の側の面に設けられた緩衝部と、を備え、前記伸縮部に、該伸縮部の端部が折り返された折り返し部が形成され、該折り返し部によって、前記緩衝部が覆われている。
【０００６】
【０００７】
本発明に係る止血バンドにおいて、前記伸縮部を挟んで前記緩衝部とは反対の側の面に、前記穿刺傷部に当てられた止血綿に接触する摩擦部を更に備えることが好ましい。
【０００８】
本発明に係る止血バンドにおいて、前記緩衝部が、ＥＰＤＭの発泡体であることが好ましい。
【０００９】
本発明に係る止血バンドにおいて、前記摩擦部が、血液汚れに対する防汚性を有することが好ましい。
【００１０】
本発明に係る止血バンドにおいて、前記伸縮部に面ファスナーが設けられ、該面ファスナーによって、該止血バンドが前記患者に巻き付けられてもよい。
【発明の効果】
【００１１】
本発明によれば、適度な力で穿刺傷部を圧迫できる止血バンドを提供できる。
【図面の簡単な説明】
【００１２】
【図１】本発明の一実施の形態に係る止血バンドの使用状態を示す説明図である。
【図２】本発明の一実施の形態に係る止血バンドの斜視図である。
【発明を実施するための形態】
【００１３】
続いて、添付した図面を参照しつつ、本発明を具体化した実施の形態につき説明し、本発明の理解に供する。なお、説明に関連しない部分は図示を省略する場合がある。
【００１４】
本発明の一実施の形態に係る止血バンド１０は、図１に示すように、患者の肢体に装着され、止血綿１２を介して患者の穿刺傷部を圧迫できる。
止血バンド１０は、図２に示すように、伸縮部１０２、緩衝部１０４、及び摩擦部１０６を備えている。
【００１５】
伸縮部１０２は、帯状であり、長手方向に伸縮できる。
伸縮部１０２の一方の側の面（穿刺傷部側となる面）１０２ａであって、緩衝部１０４とは反対側の端部には、矩形状の面ファスナーのＡ面ＦＳａが設けられている。伸縮部１０２の他方の側の面１０２ｂには、面ファスナーのＡ面ＦＳａに対応するＢ面ＦＳｂが設けられている。
伸縮部１０２には、伸縮部１０２の端部が折り返された折り返し部１０８が形成されている。折り返し部１０８は、その先端部が伸縮部１０２に縫い付けられ、環状となっている。
【００１６】
緩衝部１０４は、ＥＰＤＭの発泡体であり、伸縮部１０２の他方の側の面１０２ｂに設けられている。緩衝部１０４は、前述の環状の折り返し部１０８の内側に配置されている。すなわち、緩衝部１０４は、折り返し部１０８によって覆われている。緩衝部１０４と緩衝部１０４を覆う折り返し部１０８との間には、隙間となる空間Ｓａ、Ｓｂ（図１参照）が形成されている。
緩衝部１０４の形状は直方体状であり、その厚みは、例えば７．５〜８．５ｍｍであることが好ましく、７．８〜８．２ｍｍであることが更に好ましい。緩衝部１０４は、厚み方向に半分程度圧縮される（潰される）と、４００〜５００ｇ程度の圧迫力となる。緩衝部１０４は、両面テープにより伸縮部１０２に取り付けられている。
なお、緩衝部１０４はＥＰＤＭの発泡体に限定されるものではない。ただし、圧縮永久歪みが小さいという観点から、緩衝部１０４はＥＰＤＭの発泡体であることが好ましい。
【００１７】
摩擦部１０６は、クロロプレンゴムの発泡体であり、伸縮部１０２の一方の側の面１０２ａに設けられている。摩擦部１０６の厚みは、例えば１．５ｍｍである。摩擦部１０６には、患者の穿刺傷部に当てられた止血綿１２が接触する。摩擦部１０６は、両面テープにより伸縮部１０２に取り付けられている。
摩擦部１０６がクロロプレンゴムの発泡体であるので、止血綿１２との間で適度な摩擦抵抗が発生し、止血綿１２が滑って外れてしまうことが抑制される。また、クロロプレンゴムの発泡体は、その特性上、止血綿１２から滲みだした血液が付着することが抑制される。
なお、摩擦部１０６の色は、血液で汚れたことを分かりやすくするため、赤色及び黒色以外が好ましい。具体的には、摩擦部１０６は、灰色又は白色が好ましい。
【００１８】
次に、透析治療における止血バンド１０の使用方法（止血バンド１０を使用した止血方法）について説明する。止血バンド１０は、以下のステップに従って使用される。なお、可能な場合には、各ステップは順番が入れ替えられて実行されてもよいし、並行して実行されてもよい。
【００１９】
（ステップＳ１）
透析治療を実施する。透析が完了した後、患者の前腕から穿刺針を抜き取る。
【００２０】
（ステップＳ２）
前腕の穿刺傷部に、止血綿１２を当てる。
【００２１】
（ステップＳ３）
止血綿１２の上から摩擦部１０６を当てた状態で、止血バンド１０を巻き付ける。その際、緩衝部１０４を圧縮し、目視にて、当初のおおよそ半分の厚みになるように巻き付ける。止血バンド１０は、面ファスナーのＡ面ＦＳａ及び面ファスナーのＢ面ＦＳｂによって、患者の前腕部に留められる（図１参照）。
緩衝部１０４が当初の厚みの半分程度に潰されることにより、止血に最適な圧迫力が穿刺傷部に加わり、血管が閉塞してしまう可能性が低減される。また、必要以上に止血に時間がかかってしまうことが抑制される。
【００２２】
（ステップＳ４）
止血バンド１０を留めた後、シャント音を確認する。シャント音に異常が認められる場合には、前ステップＳ３を再度実施する。
【００２３】
（ステップＳ５）
予め決められた時間が経過し、止血が完了した後、止血バンド１０を取り外す。
なお、止血綿１２から滲みだした血液が摩擦部（クロロプレンゴムの発泡体）１０６に付着した場合には、拭きとるだけで容易にその血液による汚れを落とすことができる。
【００２４】
以上説明したように、本実施の形態に係る止血バンド１０によれば、緩衝部１０４の厚み（圧縮量）に基づいて圧迫力が管理できるので、看護師の経験に大きく依存することなく止血できる。
【００２５】
以上、本発明の実施の形態を説明したが、本発明は、上記した形態に限定されるものでなく、要旨を逸脱しない条件の変更等は全て本発明の適用範囲である。
摩擦部は、クロロプレンゴムの発泡体に限定されるものではない。摩擦部は、止血綿に対して摩擦力を発生する材質であれば、任意で良い。なお、摩擦部は、血液汚れに対する防汚性を有していることが好ましい。
【符号の説明】
【００２６】
１０  止血バンド
１２  止血綿
１０２  伸縮部
１０２ａ  伸縮部の一方の側の面
１０２ｂ  伸縮部の他方の側の面
１０４  緩衝部
１０６  摩擦部
１０８  折り返し部
ＦＳａ  面ファスナーのＡ面
ＦＳｂ  面ファスナーのＢ面
Ｓａ、Ｓｂ  空間
【図１】
0006579313.tif 000002
【図２】
0006579313.tif 000003